(57)【要約】ダイバーシティパイロットを時間追跡するための技法が開示されている。１つの態様では、早期（４６２）および末期（４８２）のエネルギー計算が逆拡散（４５２、４５８）のための第１のパイロットシーケンスを使用して各入信記号で行われる。２つのエネルギー間の差異（４６４）は追跡ループ（４９０）を駆動するために使用され、第１のパイロット推定値および第２のパイロット推定値（６４０）を生じさせるための時間基準を生成し、該２つの推定値はデータ（６３０）を復調するために使用される。別の態様では、該早期エネルギーおよび末期エネルギーは複数の入信記号を含んで作られ、その数は直交化シーケンスの正の値または負の値のランの中の記号の数に一致する。該直交化シーケンスは第１のパイロットシーケンスから第２のパイロットシーケンスを生成するために使用され、結果として生じる第２のパイロットシーケンスは第１のパイロットシーケンスに対して直交する。これらの態様には、ダイバーシティ時間追跡を送信するために必要とされるハードウェアまたは処理工程を簡略化し、コストの削減、省力化、設計の簡略さ等を生じさせるという利点がある。
2005516527.tif 000002
【特許請求の範囲】
【請求項１】
第１のアンテナで第１のパイロットシーケンスを、第２のアンテナで第２のパイロットシーケンスを送信する送信ダイバーシティのために構成された基地局と動作可能である時間追跡装置であって、該第２のシーケンスは該第１のパイロットシーケンスの各記号を直交化シーケンスからの値で乗算することにより生成され、該記号はチップの第１の所定数から構成され、
入力サンプルを受信し、タイミング基準の前に所定のオフセットに対応するサンプルの早期シーケンスを生成するための第１のタイミングオフセットと、
入力サンプルを受信し、タイミング基準の後に所定のオフセットに対応するサンプルの末期シーケンスを生成するための第２のタイミングオフセットと、
第１のパイロットシーケンスでサンプルの早期シーケンスを逆拡散するための第１の逆拡散器と、
第１のパイロットシーケンスでサンプルの末期シーケンスを逆拡散するための第２の逆拡散器と、
第１の蓄積を生成するために、チップの第２の所定数のために第１の逆拡散器からの逆拡散されたサンプルを蓄積するための第１のアキュムレータと、
第２の蓄積を生成するために、チップの第２の所定数のために第２の逆拡散器からの逆拡散されたサンプルを蓄積するための第２のアキュムレータと、
第１の蓄積からの第１の二乗規模を生成するための第１の規模数量算出器と、
第２の蓄積からの第２の二乗規模を生成するための第２の規模数量算出器と、
第１の二乗規模と第２の二乗規模の間の差異を生成するための減算器と、
該差異に応じてタイミング基準を生成するための追跡ループと、
タイミング基準に従って入力サンプルから第１のパイロットおよび第２のパイロットを推定するためのパイロットデカバーと、
を備える、時間追跡装置。
【請求項２】
前記チップの第２の所定数は前記チップの第１の所定数に等しい、請求項１に記載の装置。
【請求項３】
前記チップの第１の所定数は２５６である、請求項２に記載の装置。
【請求項４】
前記第１のタイミングオフセットおよび第２のタイミングオフセットは１つのタイミングオフセットである、請求項１に記載の装置。
【請求項５】
前記所定のオフセットは２分の１のチップである、請求項１に記載の装置。
【請求項６】
前記直交化シーケンスは正の値のランを負の値のランで代替することを備え、該ランは所定数の値であり、
前記チップの第２の所定数は、ランの中の値の所定数で乗算されるチップの第１の所定数に等しく、
前記第１のアキュムレータおよび第２のアキュムレータは蓄積をランと位置合わせする、請求項１に記載の装置。
【請求項７】
前記チップの第１の所定数は２５６である、請求項６に記載の装置。
【請求項８】
前記値の所定数は２である、請求項６に記載の装置。
【請求項９】
前記第１の推定されたパイロットおよび前記第２のされた推定パイロットで第１のデータストリームおよび第２のデータストリームを復調するためのデータ復調器をさらに備える、請求項１に記載の装置。
【請求項１０】
前記復調された第１のデータストリームおよび前記復調された第２のデータストリームを非多重化し、出力記号を作成するためのデータデマルチプレクサをさらに備える、請求項９に記載の装置。
【請求項１１】
複数のパイロットシーケンスを時間追跡するための方法であって、第１のパイロットシーケンスが第１のアンテナから送信され、残りの複数のパイロットシーケンスのそれぞれが対応する複数のアンテナで送信され、それぞれの残りのパイロットシーケンスが複数の直交化シーケンスの１つの直交化シーケンスからの値で第１のパイロットシーケンスの各記号を乗算することにより生成され、該記号がチップの第１の所定数から構成され、
入力サンプルの早期に受け取られたシーケンスとの第１のパイロットシーケンスの相関におけるエネルギーと、入力サンプルの末期に受け取られたシーケンスとの第１のパイロットシーケンスの相関におけるエネルギーとの間の差異を計算することであって、該相関が所定の長さに対してであり、該早期シーケンスおよび末期シーケンスがタイミング基準に参照されるものと、
追跡ループを該差異で更新し、該タイミング基準を生成することと、
該タイミング基準に従って複数のパイロットシーケンスを推定することと、
を備える方法。
【請求項１２】
前記チップの所定数は２５６である、請求項１１に記載の方法。
【請求項１３】
前記所定長は１記号である、請求項１１に記載の方法。
【請求項１４】
前記直交化シーケンスは、正の値のランを負の値のランで代替することを備え、該ランは所定数の値であり、
前記所定長は、ランの中の値の所定数で乗算されたチップの所定数に等しく、
前記相関はランと位置合わせされる、請求項１１に記載の方法。
【請求項１５】
送信ダイバーシティのために構成された基地局と動作可能であり、第１のパイロットシーケンスを第１のアンテナで送信し、対応する複数のアンテナで送信される残りの複数のパイロットシーケンスのそれぞれを送信する装置であって、それぞれの残りのパイロットシーケンスが第１のパイロットシーケンスの各記号を複数の直交化シーケンスの１つの直交化シーケンスからの値で乗算することにより生成され、該記号がチップの第１の所定数から構成され、
入力サンプルの早期に受け取られたシーケンスとの第１のパイロットシーケンスの相関でのエネルギーと、入力サンプルの末期に受け取られたシーケンスとの第１のパイロットシーケンスの相関でのエネルギーとの間の差異を計算する手段であって、該相関が所定長に対してであり、該早期シーケンスおよび末期シーケンスがタイミング基準に参照されるものと、
該差異で追跡ループを更新し、該タイミング基準を生成するための手段と、
該タイミング基準に従って複数のパイロットシーケンスを推定するための手段と、
を備える、装置。
【請求項１６】
前記所定長は１記号である、請求項１５に記載の装置。
【請求項１７】
前記直交化シーケンスは正の値のランを負の値のランで代替することを備え、該ランが所定数の値であり、
前記所定長はランの中の値の所定数で乗算されたチップの所定数に等しく、
前記相関は該ランで位置合わせされる、請求項１５に記載の装置。
【請求項１８】
入力サンプルの早期に受け取られたシーケンスとの第１のパイロットの相関でのエネルギーと、入力サンプルの末期に受け取られたシーケンスとの第１のパイロットシーケンスの相関でのエネルギーとの間の差異を計算する工程であって、該相関が所定長に対してであり、該早期シーケンスおよび末期シーケンスがタイミング基準に参照されるものと、
該差異で追跡ループを更新し、該タイミング基準を生成する工程と、
該タイミング基準に従って複数のパイロットシーケンスを推定する工程であって、複数のパイロットシーケンスが第１のパイロットシーケンスを含み、複数のパイロットシーケンスが、第１のパイロットシーケンスの記号を複数の直交化シーケンスで乗算することにより生成されるものと、
を実行するために動作可能な、プロセッサ読み取り可能媒体。
【請求項１９】
前記所定長は１記号である、請求項１８に記載のプロセッサ読み取り可能媒体。
【請求項２０】
前記直交化シーケンスは正の値のランを負の値のランで代替することを備え、該ランが所定数の値であり、
前記所定長はランの中の値の所定数で乗算されたチップの所定数に等しく、
前記相関はランと位置合わせされる、請求項１８に記載のプロセッサ読み取り可能媒体。
【請求項２１】
送信ダイバーシティのために構成された基地局と動作可能であり、第１のアンテナ上で第１のパイロットシーケンスを、第２のアンテナ上で第２のパイロットシーケンスを送信する移動局であって、第２のシーケンスが直交化シーケンスからの値で第１のパイロットシーケンスの各記号を乗算することにより生成され、該記号がチップの第１の所定数から構成され、
入力サンプルを受け取るため、およびタイミング基準の前に所定のオフセットに対応するサンプルの早期シーケンスを生成するための第１のタイミングオフセットと、
入力サンプルを受け取るため、およびタイミング基準の後に所定のオフセットに対応するサンプルの末期シーケンスを生成するための第２のタイミングオフセットと、
サンプルの早期シーケンスを第１のパイロットシーケンスで逆拡散するための第１の逆拡散器と、
サンプルの末期シーケンスを第１のパイロットシーケンスで逆拡散するための第２の逆拡散器と、
第１の蓄積を生成するためにチップの第２の所定数のために第１の逆拡散器からの逆拡散されたサンプルを蓄積するための第１のアキュムレータと、
第２の蓄積を生成するためにチップの第２の所定数のために第２の逆拡散器からの逆拡散されたサンプルを蓄積するための第２のアキュムレータと、
第１の蓄積から第１の二乗規模を生成するための第１の規模数量算出器と、
第２の蓄積から第２の二乗規模を生成するための第２の規模数量算出器と、
第１の二乗規模と第２の二乗規模との間の差異を生成するための減算器と、
該差異に応じてタイミング基準を生成するための追跡ループと、
該タイミング基準に従って入力サンプルから第１のパイロットおよび第２のパイロットを推定するためのパイロットデカバーと、
を備える、移動局。
【請求項２２】
送信ダイバーシティのために構成された基地局と動作可能であり、第１のアンテナで第１のパイロットシーケンスを送信し、対応する複数のアンテナで送信される残りの複数のパイロットシーケンスのそれぞれを送信する移動局であって、各残りのパイロットシーケンスが、第１のパイロットシーケンスの各記号を複数の直交化シーケンスの１つの直交化シーケンスからの値で乗算することにより生成され、該記号がチップの第１の所定数から構成され、
入力サンプルの早期に受信されるシーケンスとの第１のパイロットシーケンスの相関でのエネルギーと、入力サンプルの末期に受信されるシーケンスとの第１のパイロットシーケンスの相関でのエネルギーとの間の差異を計算する手段であって、該相関が所定長に対してであり、該早期シーケンスおよび末期シーケンスがタイミング基準に参照されるものと、
該差異で追跡ループを更新し、該タイミング基準を生成するための手段と、
該タイミング基準に従って複数のパイロットシーケンスを推定するための手段と、
を備える、移動局。
【請求項２３】
送信ダイバーシティのために構成された基地局と動作可能であり、第１のアンテナで第１のパイロットシーケンスを送信し、対応する複数のアンテナで送信される残りの複数のパイロットシーケンスのそれぞれを送信する移動局を含む無線通信システムであって、それぞれの残りのパイロットシーケンスが、第１のパイロットシーケンスの各記号を、複数の直交化シーケンスの１つの直交化シーケンスからの値で乗算することにより生成され、該記号がチップの第１の所定数から構成され、
入力サンプルの早期に受け取られたシーケンスとの第１のパイロットシーケンスの相関でのエネルギーと、入力サンプルの末期に受け取られたシーケンスとの第１のパイロットシーケンスの相関でのエネルギーとの間の差異を計算する手段であって、該相関が所定長に対してであり、該早期シーケンスおよび末期シーケンスがタイミング基準に参照されるものと、
該差異で追跡ループを更新し、該タイミング基準を生成するための手段と、
該タイミング基準に従って複数のパイロットシーケンスを推定するための手段と、
を備える、無線通信システム。
【発明の詳細な説明】
【技術分野】
【０００１】
本発明は概して通信に関し、さらに詳細にはダイバーシティパイロット(diversity pilots)を時間追跡するための新規の、且つ改善された方法および装置に関する。
【背景技術】
【０００２】
無線通信システムは音声およびデータなどの多様な種類の通信を提供するために幅広く展開されている。これらのシステムは符号分割多元接続（ＣＤＭＡ）、時分割多元接続（ＴＤＭＡ）または他のいくつかの変調技法に基づいてよい。ＣＤＭＡシステムは、増加したシステム容量を含む、他の種類のシステムに優る確かな優位点を提供する。
【０００３】
ＣＤＭＡシステムは（１）「ＴＩＡ／ＥＩＡ−９５−Ｂ  二重モード広帯域スペクトル拡散セルラーシステム用の移動局−基地局互換性能規格（TIA/EIA-95-B Mobile Station-Base Station Compatibility Standard for Dual-Mode Wideband Spread Spectrum Cellular System）」（ＩＳ−９５規格）、（２）「第３世代パートナーシッププロジェクト（３ＧＰＰ）」と名付けられたコンソーシアムによって提供され、文書番号３Ｇ ＴＳ ２５．２１１、３Ｇ ＴＳ ２５．２１２、３Ｇ ＴＳ ２５．２１３および３Ｇ ＴＳ ２５．２１４（Ｗ−ＣＤＭＡ規格）を含む一式の文書で具現化された規格、（３）「第３世代パートナーシッププロジェクト２（３ＧＰＰ２）」と名付けられたコンソーシアムによって提供され、「Ｃ．Ｓ０００２−Ａ  ｃｄｍａ２０００スペクトル拡散システムのための物理層規格（C.S0002-A Physical Layer Standard for cdma2000 Spread Spectrum Systems）」、「Ｃ．Ｓ０００５−Ａ  ｃｄｍａ２０００スペクトル拡散システムのための上位層（第３層）シグナリング規格（C.S0005-A Upper Layer (Layer3) Signaling Standard for cdma2000 Spread Spectrum Systems）」、および「Ｃ．Ｓ００２４  ｃｄｍａ２０００の高速パケットデータエアインタフェース仕様（C.S0024 cdma2000 High Rate Packet Data Air Interface Specificaiton）」（ｃｄｍａ２０００規格）を含む一式の文書で具現化された規格、および（４）なんらかの他の規格などの１つまたは複数のＣＤＭＡ規格をサポートするように設計されてよい。
【０００４】
システム容量およびデータスループットを含む性能を強化するために使用される１つの技法は、送信ダイバーシティを採用することにより必要とされる送信信号電力を引き下げることである。送信ダイバーシティは、２つ以上のアンテナでデータを送信することを含み、アンテナ間の地理的な分離がアンテナごとに独立した経路損失特性をもたらす。このようにして、受信局は送信ダイバーシティアンテナからの信号をコヒーレントに結合することができ、チャネルで生じた雑音はコヒーレントに結合せず、したがって受信された信号対雑音比（ＳＮＲ）を高める。
【０００５】
受信エネルギーを最大にし、エラーを最小にするために、時間追跡は復調のために使用されるパイロット信号と復調されている信号の間の位相差を最小にするために実行される。送信ダイバーシティシステムにおいて時間追跡するための技法は、単一の追跡ループで多様なアンテナから信号の加重平均を追跡するための方法だけではなく、複数のアンテナからの信号を個別に追跡するための方法も含む。これらの方法は、２００１年９月２５日に出願された「無視できないマルチパススペーシング環境における時間追跡（TIME TRACKING IN A NON-NEGLIGIBLE MULTIPATH SPACING ENVIRONMENT）」と題される同時係属米国特許出願第０９／９６４，５８９号にて記載され、本発明の譲受人に譲渡される。
【０００６】
時間追跡は離散特殊目的ハードウェアにおいて、デジタル信号プロセッサ（ＤＳＰ）において、あるいは他の汎用プロセッサにおいて、または該２つの組み合わせにおいて実行できる。ハードウェアの複雑さにより、多くの場合回路領域および電力消費という点でコストの増加が生じる。ソフトウェアの付加的な複雑さは処理時間を取り、おそらく電力消費の増加またはさらに強力且つ高価なプロセッサの要求、またはその両方をもたらす。より複雑な手順と同等に実行する簡略化された時間追跡手順が明らかに望ましい。
【０００７】
したがって、当技術分野にはダイバーシティパイロットのための改善された時間追跡ループに対するニーズがある。
【発明の開示】
【０００８】
ここに開示されている実施形態は、ダイバーシティパイロットのための改善された時間追跡ループに対するニーズに対処する。１つの態様では、早期および末期のエネルギー計算が、逆拡散のための第１のパイロットシーケンスを使用して各入信記号（symbol）で行われる。２つのエネルギー間の差異は追跡ループを駆動するために使用され、該ループは第１のパイロット推定値および第２のパイロット推定値を作成するための時間基準を生成し、該２つの推定値はデータを復調するために使用される。別の態様においては、早期エネルギーおよび末期エネルギーは複数の入信記号を含んで作成され、その数は直交化シーケンスの正の値または負の値のラン(run)の中の記号の数に一致する。直交化シーケンスは第１のパイロットシーケンスから第２のパイロットシーケンスを作成するために使用され、結果として生じる第２のパイロットシーケンスは第１のパイロットシーケンスに対して直交である。これらの態様は、送信ダイバーシティ時間追跡に必要とされるハードウェアまたは処理工程を簡略化し、より複雑な手順で等しい性能を有するいくつかの実施形態では、コスト削減、省力化、設計の簡略さ等を生じさせるという利点を有する。
【０００９】
本発明は、さらに詳細に後述されるように、本発明の多様な態様、実施形態、および特徴を実現する方法およびシステム要素を提供する。
【００１０】
本発明の特徴、性質および優位点は、類似する参照記号が全体に渡って相応して識別する図面とともに解釈されるときに後述される詳細な説明からさらに明らかになるであろう。
【発明を実施するための最良の形態】
【００１１】
図１は、１つ以上のＣＤＭＡ規格および／又は設計（例えば、Ｗ−ＣＤＭＡ規格、ＩＳ−９５規格、ｃｄｍａ２０００規格、ＨＤＲ仕様など）をサポートするように設計されてよい無線通信システム１００の図である。簡単にするために、システム１００は２つの移動局１０６と通信する３つの基地局１０４を含むように示されている。基地局およびそのカバレージエリアは多くの場合集合的に「セル」と呼ばれている。ＩＳ−９５システムでは、セルは１つ以上のセクタを含んでよい。Ｗ−ＣＤＭＡ仕様では、基地局の各セクタおよびセクタのカバレージエリアがセルと呼ばれている。ここで使用されているように、用語基地局は用語アクセスポイントまたはノードＢと同義的に使用できる。用語移動局は、用語ユーザ装置（ＵＥ）、加入者装置、加入者局、アクセス端末、遠隔端末、または当技術分野で既知である他の対応する用語と同義的に使用できる。用語移動局は固定無線アプリケーションを包含する。
【００１２】
実現されているＣＤＭＡシステムに応じて、各移動局１０６はどんな所定の時でも順方向リンクで１つ（あるいはおそらく複数）の基地局１０４と通信してよく、移動局がソフトハンドオフしているかどうかに応じて逆方向リンクで１つ以上の基地局と通信してよい。順方向リンク（つまりダウンリンク）は基地局から移動局への伝送を指し、逆方向リンク（つまりアップリンク）は移動局から基地局への伝送を指す。
【００１３】
明確にするために、本発明を説明する上で使用される例は、信号の発信者としての基地局と、それらの信号、つまり順方向リンクでの信号の受信者および獲得者としての移動局を仮定してよい。当業者は、基地局だけではなく移動局もここに説明されるようにデータを送信するために装備することができ、本発明の態様がそれらの状況でも当てはまることを理解するであろう。単語「例示的な」は、ここで「例、事例、または実例としての役割を果たす」ことを意味するためだけに使用される。ここに「例示的な」として説明される任意の実施形態は必ずしも、他の実施形態より好適である、あるいは他の実施形態より有利であると解釈されるべきではない。
【００１４】
図２はシステム１００の実施形態を示し、送信ダイバーシティ方式を詳説している。基地局１０４は、移動局１０６と通信するために２本のアンテナ２１０と２２０を備えている（代替実施形態は２本以上のアンテナを使用してよい）。アンテナ２１０と２２０と、移動局１０６の間のリンクはそれぞれＳ１とＳ２と呼ばれている。該２本のアンテナは、Ｓ１で経験されるフェージングがＳ２でのフェージングとは無関係ではあるが、２つの信号が基本的に同時に移動局１０６に到達するほど十分な地理的な分離をもって配置されている。移動局で２つの信号が構成的に結合され、そうする際に単一のアンテナだけが配置された場合に生じるであろう有害な影響のいくらかに効果があるように多様な技法を利用することができる。
【００１５】
前記に参照されたＷ−ＣＤＭＡ規格に詳説される１つのこのような方式は閉鎖ループ送信ダイバーシティである。２つの信号Ｓ１とＳ２が同期しており、移動局１０６で受信時に最大限に結合されるように、ダイバーシティアンテナ２２０で送信される信号Ｓ２の位相は、一次アンテナ２１０で送信される信号Ｓ１に関して調整される。それぞれアンテナ２１０と２２０に適用される用語一次およびダイバーシティは２本のアンテナを区別するためだけに使用される。当業者は、位相の調整がどちらかのアンテナ（または複数のアンテナ）で行われる可能性があることを認識するであろう。
【００１６】
空間時間送信ダイバーシティ（ＳＴＴＤ）などの代替方式では、異なるデータがそれぞれのアンテナで送信される。データは、移動局で受信時にそれが再結合できるような様式で送信される。例えば一次アンテナ（又はアンテナ１）で送信される記号が複合利得（ｃｏｍｐｌｅｘ ｇａｉｎ）ｇ０をもって移動局で受信され、ダイバーシティアンテナ（又はアンテナ２）で送信される記号が複合利得ｇ１をもって受信される２アンテナ送信ダイバーシティ方式を考える。複合利得は、２つの信号が伝搬するチャネルの関数である。
【００１７】
伝送を待機している２つの隣接する複合データ記号ｄ１とｄ２を考える。送信されるデータは以下のように２本のアンテナに渡って分配される。つまりある記号伝送期間中、ｄ１はアンテナ１で送信され、−ｄ２＊（＊は共役を表す）はアンテナ２で送信される。次の記号伝送期間では、ｄ２はアンテナ１で送信され、ｄ１＊はアンテナ２で送信される。第１の記号伝送期間の間に移動局で受信される信号はｒ１であり、ｒ１＝ｇ０ｄ１−ｇ１ｄ２＊である。第２の記号伝送期間中に移動局で受信される信号はｒ２であり、ｒ２＝ｇ０ｄ２＋ｇ１ｄ１＊である。チャネル利得ｇ０とｇ１が既知である場合には、２つの等式ｒ１とｒ２はデータｄ１とｄ２を回復するために十分である。
【００１８】
移動局で受信されるパイロット信号はチャネル利得ｇ０とｇ１に比例している。チャネル利得は、それぞれ一次アンテナとダイバーシティアンテナで送信される２つのパイロット信号、パイロット１とパイロット２を回復することによって推定できる。回復されたパイロットは、さらに詳しく後述されるように、それぞれのアンテナから送信される信号を復調するために使用することができる。例示的な実施形態では、複数のダイバーシティアンテナのそれぞれで送信されるパイロット信号は互いに直交である。この特性は、いったんそれらが移動局で受信されるとパイロットの回復を容易にし、干渉を最小限に抑える。ＣＤＭＡシステムで直交パイロットを生成するための１つの技法は、第１のパイロット信号のために使用される第１の擬似乱数雑音（ＰＮ）シーケンスを直交化信号で乗算し、第２のパイロット信号を生成することである。図３は、Ｗ−ＣＤＭＡ規格に説明されるように、パイロット信号の例示的な集合がどのようにして生成できるのかを示している。図３では記号数に一致すると示されている値でベースＰＮシーケンスを乗算することによって、一次パイロットおよびダイバーシティパイロットが作成される。この例では、一次パイロットは、一定の振幅ＡでベースＰＮシーケンスを乗算することにより生成される。記号０と３の中のＡでベースＰＮシーケンスを乗算することによってダイバーシティパイロットが生成され、記号１と２の中の−Ａで乗算する。パターンは４記号の以後の集合ごとに繰り返される。例示的な実施形態では、各記号は２５６個のチップを備える。結果として生じる一次パイロットシーケンスおよびダイバーシティパイロットシーケンスは互いに直交であることは容易に分かる。当業者は、１つの共通の根本的なシーケンスを使用して直交パイロットシーケンスを生成するために適用できる多様な他の直交化シーケンスを認識するであろう。当業者は、さらに、付加的な直交化シーケンスが、複数の直交パイロットを生成し、複数のダイバーシティアンテナで送信するために構築できることを認識するであろう。
【００１９】
図４は、２本の送信ダイバーシティパイロットの平均を追跡するために適切な従来の技術の時間追跡装置を描いている。信号は、当技術分野で既知の技法を使用して、アンテナ４１０で受信され、ＲＦダウンコンバート４１５におけるベースバンドへの変換のために送達される。ベースバンドサンプルは、サンプルの定期的なストリーム、早期ストリームおよび末期ストリームがそれぞれτ、τ-１／２、およびτ＋１／２の入信信号でのタイミングオフセットに対応して生成されるタイミングオフセット４２０へ送達される。早期シーケンスはタイミング基準の前にサンプリングされ、末期シーケンスはそのタイミング基準に続いてサンプリングされる。タイミング基準から２分の１チップ早期シーケンスおよび末期シーケンスをサンプリングすることは一般的であるが、他の差異も使用できる。
【００２０】
そのタイミングがタイミング基準にリンクされる定期的なシーケンスは、データ復調のために使用される。入信シーケンスは逆拡散器４３２において一次データ拡散コードＣｄ１（ｎ）で逆拡散され、アキュムレータ４３４に蓄積され、逆拡散器４３６において一次パイロット信号Ｐ１の推定値で逆拡散され、一次受信記号を生成する。同様に、入信シーケンスは、逆拡散器４３８においてダイバーシティデータ拡散コードＣｄ２（ｎ）で逆拡散され、アキュムレータ４４０に蓄積され、逆拡散器４４２において一次パイロット信号Ｐ２の推定値で逆拡散され、ダイバーシティ受信記号を生成する。アキュムレータ４３４と４４０で使用される蓄積間隔は、通常１記号の長さとなる。いくつかの実施形態では、一次データ拡散シーケンスおよびダイバーシティデータ拡散シーケンスは同じであってよい。一次データシーケンスおよび二次データシーケンスは、一次データストリームおよびダイバーシティデータストリームが出力データ記号を生じさせるために非多重化されるデータデマルチプレクサ（ｄｅｍｕｘ）４４４に送達される。
【００２１】
タイミング基準τは、それぞれ一次パイロットとダイバーシティパイロットＡとＢの誤差(error)エネルギーの加重平均に基づいて時間を追跡するために動作する追跡ループ４９０で生成される。加重平均は、α１がＡで乗算され、Ｂで乗算されるα２の結果に加算されるブロック４８８で生成される。倍率α１とα２は、２つのパイロット信号の受信エネルギーの差異を説明するために改変されてよい。
【００２２】
Ａと呼ばれる結果は、早期信号のエネルギーと、一次アンテナに対応する末期信号のエネルギーの差異に一致する。一次アンテナのための早期信号のエネルギーは、逆拡散器４５２において早期サンプルを一次パイロットシーケンスＣｐ１（ｎ）で逆拡散し、アキュムレータ４５４に逆拡散されたサンプルを蓄積し、数量算出器（ｓｑｕａｒｅｒ）４５６に蓄積されたサンプルの二乗規模を計算することにより計算される。同様に、一次アンテナの末期信号のエネルギーは、逆拡散器４５８において末期サンプルを一次パイロットシーケンスＣｐ１（ｎ）で逆拡散し、アキュムレータ４６０で逆拡散されたサンプルを蓄積し、数量算出器４６２で蓄積されたサンプルの二乗規模を計算することにより計算される。差異Ａは加算器４６４で早期エネルギーから末期エネルギーを差し引くことにより計算される。
【００２３】
同様にして、Ｂと呼ばれる結果は早期信号のエネルギーと、ダイバーシティアンテナに対応する末期信号のエネルギーの差異に一致する。ダイバーシティアンテナのための早期信号のエネルギーは、逆拡散器４７２においてダイバーシティパイロットシーケンスＣｐ２（ｎ）で早期サンプルを逆拡散し、アキュムレータ４７４に逆拡散されたサンプルを蓄積し、数量算出器４７６で蓄積されたサンプルの二乗規模を計算することにより計算される。同様にして、ダイバーシティアンテナのための末期信号のエネルギーは、逆拡散器４７８においてダイバーシティパイロットシーケンスＣｐ２（ｎ）で末期サンプルを逆拡散し、アキュムレータ４８０に逆拡散されたサンプルを蓄積し、数量算出器４８２で蓄積されたサンプルの二乗規模を計算することにより計算される。差異Ｂは、加算器４８４で早期エネルギーから末期エネルギーを差し引くことによって計算される。
【００２４】
アキュムレータ４５４、４６０、４７４および４８０は、一般的には、エネルギー計算の精度を最大限にするために、ダイバーシティパイロットおよび一次パイロットが直交となる間隔の間入信サンプルを蓄積する。図３に図示されるＷ−ＣＤＭＡパイロットを例として使用すると、蓄積間隔は５１２チップとなる場合がある。
【００２５】
図５は、図３に描かれているＷ−ＣＤＭＡパイロットの特性を利用するために修正された２つの送信ダイバーシティパイロットの平均を追跡するために適した代替の従来技術の時間追跡装置を描いている。データ復調経路４１０から４４４は、図４の装置の同様の番号が付けられた要素と基本的に同じく機能する。追跡ループ４９０は、前述されたように、数量算出器４５６、４６２、４７６および４８２で、およびそれぞれ加算器４６４と４８４で計算されるように、一次およびダイバーシティの早期／末期エネルギー差異の加重平均４８８にも作用する。しかしながら、数量算出器４５６と４６２の出力が、それぞれ一次パイロットとダイバーシティパイロットの早期エネルギーに一致し、それらが加算器４６４で合計され、結合された早期エネルギーを生成することに留意せよ。同様に、数量算出器４７６と４８２の出力はそれぞれ一次パイロットとダイバーシティパイロットの末期エネルギーに一致し、それらは加算器４８４でネゲートされ(negated)、加算される。次にブロック４８８の合計が、結合された両方のパイロットの早期エネルギーと末期エネルギーとの間の差異を生成する。倍率α１とα２が利用される必要がないことに留意せよ。
【００２６】
本装置は、離散ハードウェアが使用される場合には必要とされるハードウェアあるいはＤＳＰまたは他のプロセッサが計算を行うために使用される場合には必要とされる計算の量を削減することによって、あるいは一次パイロットとダイバーシティパイロット両方の根本的なシーケンスは同じであるという特性を使用することによって、エネルギーを発生させるために必要とされる複雑度を軽減する。したがって、一次パイロットシーケンスＣｐ１（ｎ）で早期シーケンスを逆拡散するためには単一の逆拡散器４５２が使用され、逆拡散されたチップは１記号期間中アキュムレータ４５６に蓄積される。同様に、単一の逆拡散器４５８は、一次パイロットシーケンスＣｐ１（ｎ）で末期シーケンスを逆拡散するために使用され、逆拡散されたチップは１記号期間中アキュムレータ４６０に蓄積される。
【００２７】
根本的なＰＮシーケンスの中のチップの各記号の値を＋Ａまたは−Ａで乗算するとダイバーシティパイロットシーケンスが生成されるため、ダイバーシティパイロットシーケンスＣｐ２（ｎ）で逆拡散することは必要ではない。代わりに、コントローラ５１０は変数ａ１とａ２を操作し、アナログ加算器５２８と５４８の出力でダイバーシティアンテナ値を生成するために、図示されるように乗数５２６、５２２、５４６および５４２を制御する。変数ａ１とａ２は、ダイバーシティパイロットに適用される直交化シーケンスの影響を明らかにするために、＋１または−１という値を取る（前述された乗数は、当業者には明白であるように符号マニピュレータで置換できる）。チップの記号の値はそれぞれ各アキュムレータ４５４と４６０に蓄積され、出力はそれぞれ遅延要素５２０と５４０において１記号分遅延される。次に２記号ごとに、加算器５２４、５２８、５４４および５４８の出力は、２記号に対して、それぞれ早期一次パイロット、早期ダイバーシティパイロット、末期一次パイロット、および末期ダイバーシティパイロットのための蓄積を含む。サンプラ（Samplers)５３０、５３２、５５０および５５２は、それぞれの数量算出器４５６、４６２、４７６および４８２でのエネルギー計算のために、１記号おきにこれらのパイロット蓄積をサンプリングするために動作する。
【００２８】
図４と図５に図示されている、いま説明された両方の装置では、蓄積間隔（又はコヒーレント蓄積）が５１２チップ、又は２記号であったことに留意せよ。当該技術分野で周知であるように、大きさを二乗する前に（コヒーレンス帯域幅により定められる）可能な限り多くのチップをコヒーレントに結合し、受信信号対雑音比（ＳＮＲ）を最大限にすることが有利である。したがって、図３に図示されるＷ−ＣＤＭＡパイロット信号で適用されるときには、図５の装置は、複雑度が大幅に削減された、図４の装置に匹敵する性能を有する。
【００２９】
図６は、ダイバーシティアンテナを追跡するために必要な計算ハードウェアまたは処理の量をさらに削減するために、Ｗ−ＣＤＭＡシステムでみられる特性のようなパイロット信号特性をさらに利用するダイバーシティアンテナを時間追跡するための装置を描いている。図６は、移動局１０６の構成要素の部分集合を描いている。図６に描かれている構成要素（又はその部分集合）は、集積回路などの移動局１０６の副構成要素も備えてよい。アンテナ４１０、ＲＦダウンコンバート４１５、およびタイミングオフセット４２０は、前述された同様の番号が付けられた要素と実質的には同じに動作する。前記のように、タイミングオフセット４２０は、入力サンプルの定期的なシーケンス、早期シーケンスおよび末期シーケンスを生成する。
【００３０】
一実施形態では、早期シーケンスと末期シーケンスは１記号、又は２５６チップ期間の間、それぞれアキュムレータ６１０と６２０に蓄積される。前記説明から、アンテナのそれぞれからの信号は、２本のアンテナが経験する異なるフェージングに対応する、それぞれ複合利得ｇ０またはｇ１とともに受信されることがわかる。アキュムレータ６１０と６２０の出力の大きさは、記号境界にあるそれぞれ数量算出器４６２と４８２で二乗される。記号境界でエネルギーを計算するための１つの技法は、サンプラ６１２と６２２を配置し、記号ごとに新しい入力を生成することである。結果として生じる末期出力は加算器４６４で結果として生じる早期出力から差し引かれ、その差異は追跡ループ４９０を駆動し、タイミングオフセット４２０のためにタイミング基準を生成するために使用される。
【００３１】
したがって、早期シーケンスおよび末期シーケンスが、それぞれ逆拡散器４５２と４５８において一次パイロットシーケンスＣｐ１（ｎ）で逆拡散される場合、結果として生じる蓄積は以下の値に比例するであろう。つまり記号０の間の（ｇ０＋ｇ１）Ａ、記号１の間の（ｇ０−ｇ１）Ａ、記号２の間の（ｇ０−ｇ１）Ａ、記号３の間の（ｇ０＋ｇ１）Ａ等である。記号０と３等では、加算器４６４の出力は｜ｇ０＋ｇ１｜２に比例する。記号１と２等では、加算器４６４の出力は｜ｇ０−ｇ１｜２に比例する。追跡ループ４９０は複数の記号で加算器の出力をフィルタリングし、基本的に平均を生成する。したがって、追跡ループ４９０は、両方のアンテナから受け取られる総エネルギーに比例するエネルギー｜ｇ０＋ｇ１｜２＋｜ｇ０−ｇ１｜２＝２（｜ｇ０｜２＋｜ｇ１｜２）に基づいて効果的に追跡する。
【００３２】
データ復調器６３０は、タイミングオフセット４２０からの定期的なシーケンスを復調するために使用され、そのタイミングは追跡ループ４９０の出力により指示される。定期的なサンプルは、データ復調器６３０でデータを復調するために使用される一次パイロットとダイバーシティパイロットＰ１とＰ２の推定値を生成するためにパイロットデカバー(decover)６４０でも使用される。データ復調器６３０は一次アンテナおよびダイバーシティアンテナから受け取られるデータに対応するデータを生成する。必要な場合、データデマルチプレクサ（ｄｅｍｕｘ）４４４を配置し、２つのアンテナデータストリームを非多重化し、出力データ記号を生成することができる。
【００３３】
当技術分野で既知のパイロット信号をデカバーするための多岐に渡る技法がある。１つの方法はパイロットシーケンスで定期的なシーケンスを逆拡散し、逆拡散されたチップを１記号間隔の間蓄積し、パイロット推定値を求めることである。これはＰ１とＰ２を回復するために一次パイロットおよびダイバーシティパイロットのために実行される。
【００３４】
別の方法は一次パイロットとダイバーシティパイロットの関係を利用する。各記号は一次パイロットシーケンスを使用して逆拡散され、１記号に関して蓄積される。バッファは過去の蓄積された記号をも記憶する。一次パイロットシーケンスで逆拡散される現在の記号および過去の記号は、一次パイロット記号とダイバーシティパイロット記号の両方ともの推定値を生じさせるために加算または減算することができる。それぞれの記号間隔の間、移動局が、それぞれのチャネルに対応する複合利得ｇ１とｇ２とともに、一次アンテナおよびダイバーシティアンテナから送信される信号の組み合わせを受信することがわかる。記号０では、（ｇ１＋ｇ２）Ａが受信される。記号１では、（ｇ１−ｇ２）Ａが受信される。記号２では、（ｇ１−ｇ２）Ａが受信される。記号３では（ｇ１＋ｇ２）Ａが受信される。そして該パターンは繰り返す。記号０を記号１に加算すると、ｇ１に比例し、Ｐ１を推定するために使用できる２（ｇ１）（Ａ）が生じる。記号０から記号１を差し引くと、ｇ２に比例し、Ｐ２を推定するために使用できる２（ｇ２）（Ａ）が生じる。記号２と３は、ｇ１に比例し、Ｐ１を推定するために使用できる２（ｇ１）（Ａ）を生じさせるために加算する。記号２と３の間の差異は、ｇ２に比例し、Ｐ２を推定するために使用できる２（ｇ２）（Ａ）である。このプロセスは反復することができ、データ復調のために推定値を使用して信号１つおきにパイロット推定値を計算する。
【００３５】
図７は、２つのダイバーシティ送信パイロットの平均を時間追跡するための方法の一実施形態のフローチャートを描いている。当業者は、該方法が任意の数のダイバーシティパイロットに適用可能であり、２つに制限されないことを認識するであろう。ステップ７０２では、早期記号ストリームはタイムオフセットを基準にして生成される。ステップ７０４では、末期記号ストリームは前記タイムオフセットを基準にして生成される。ステップ７０６と７０８では、早期記号ストリームと末期記号ストリームのエネルギーがそれぞれ計算される。早期記号と末期記号の間のエネルギー差異はステップ７１０で計算される。ステップ７１２では、追跡ループがエネルギー差異で更新され、タイムオフセットを生じさせる。第１のパイロットおよび第２のパイロットはステップ７１４でタイムオフセットに従ってデカバーされる。パイロットデカバーのための任意の技法が当てはまり、その例は前述された。一次アンテナおよびダイバーシティアンテナから送信されるストリームに対応する第１のデータストリームおよび第２のデータストリームは、ステップ７１６で第１のパイロットおよび第２のパイロットで復調される。必要に応じて、第１と第２の復調されたデータストリームはステップ７１８で非多重化される。
【００３６】
ステップ７０６は、ステップ７６２から７６６を使用して実施できる。ステップ７６２では、早期記号ストリームが、例えば一次パイロットシーケンスなどの第１のパイロットシーケンスで逆拡散される。ステップ７６４で、逆拡散されたチップは１記号に関して蓄積される。例示的な実施形態では、１記号の中のチップ数は２５６である。ステップ７６６では、蓄積されたチップの二乗規模が記号境界で計算される。同様に、ステップ７０８はステップ７８２から７８６を使用して実施できる。ステップ７８２では、末期記号ストリームが第１のパイロットシーケンスで逆拡散される。ステップ７８４では逆拡散されたチップが１記号に関して蓄積され、ステップ７８６では二乗規模は記号境界で計算される。
【００３７】
図７の方法実施形態、および図６の装置実施形態がともに図４と図５に示されているものに関して簡略化されていることに留意せよ。説明のために、Ｗ−ＣＤＭＡ規格で与えられた直交化シーケンスが使用されたが、当業者は、その原則が任意の直交化シーケンスに当てはまることを認識するであろう。
【００３８】
図７に図示される方法だけではなく図６に図示される装置も、ＤＳＰ、あるいは説明されたステップ（詳細は示されず）を実施するためのメモリに結合される、あるいはそのメモリを含む他の汎用プロセッサを使用して具現化または実施できる。代わりに、特殊目的のハードウェアを説明されたステップおよびプロセスのいくつかまたはすべてを実施するために配置することができるか、あるいは汎用ハードウェアと特殊目的ハードウェアの組み合わせを配置することができる。
【００３９】
図６と図７に示されている実施形態が従来の技術に関して大幅に簡略化される一方で、両方のパイロットを追跡するための効果的なコヒーレント蓄積間隔が、例示的な実施形態では２５６チップである１記号であることに留意すべきである。これは、図４と図５の装置で可能な５１２チップのコヒーレント蓄積間隔と対照される。信号部分は相互に関連付けられるためコヒーレントに結合するが、通常無関係であると想定される雑音はコヒーレントに結合しないため、前述されたように、一般的には、可能な限り多くのチップをコヒーレントに結合することが望ましい。結果的に信号対雑音比は改善され、改善された推定値によって駆動される追跡ループは改善された追跡を示す傾向があるであろう。ある環境下では、追跡ループの性能は、５１２チップ蓄積と比較されるときに２５６チップの蓄積を反映することがある。
【００４０】
わずかに修正された図６の簡略化された実施形態を使用して、図４と図５に図示される装置と同じ性能を提供するために、代替実施形態を配置することができる。図３に描かれている直交化シーケンスがＡの正の値と負の値のランを備えることに留意せよ。この例では、いったん最初の記号が生成されると、つねに２個の正の値が続く２個の負の値、あるいは言い換えると長さ２のランがある。代替実施形態では、アキュムレータ６１０と６２０は１つのランの中の記号数に関してチップを蓄積する。この例では、チップの数は５１２個、又は２記号である。サンプラ６１２と６２２は、５１２チップ、又は２記号ごとに二乗するために相応して結果を送達する。一般的には、サンプラ６１２と６２２はアキュムレータ６１０と６２０により使用される蓄積期間の最後にサンプリングする（当業者は、サンプラ６１２と６２０が二乗演算の後に移動できる、あるいは追跡ループ４９０の一部であってもよい加算器４６４に続くサンプラで置換できることを認識するであろう）。前述された１記号実施形態がただ記号境界を追跡調査し続ける必要があるのに対して、この代替実施形態は現在どの記号が蓄積されているのか、又は少なくとも各ランの境界を追跡調査し続けなければならない。これは、蓄積が、結合されるべきダイバーシティパイロットのためのランと整合されなければならないためである。図３の例を使用すると、記号０と１上で蓄積が発生する場合、ダイバーシティアンテナ構成要素は無効になる。記号１と２上で蓄積すると最大の大きさ４Ａ２（ｇ０−ｇ１）２が与えられる。次に記号３と４上で蓄積すると４Ａ２（ｇ０＋ｇ１）２が生じる等である。追跡ループ４９０は平均に関して追跡する。
【００４１】
図８は２つのダイバーシティ送信パイロットの平均を時間追跡するための方法の代替実施形態のフローチャートを描いている。それは、前述されたいくつかの修正はあるが図７に描かれている実施形態に類似している。当業者は、該方法が任意の数のダイバーシティパイロットに適用可能であり、２つに制限されないことを認識するであろう。ステップ８０２では、早期記号ストリームがタイムオフセットを基準にして生成される。ステップ８０４では、末期記号ストリームが前記タイムオフセットを基準にして生成される。ステップ８０６と８０８では、それぞれ早期記号ストリームおよび末期記号ストリームの記号のランのエネルギーが計算される。早期記号ランおよび末期記号ラン間のエネルギー差異はステップ８１０で計算される。ステップ８１２では、追跡ループはエネルギー差異で更新され、タイムオフセットを生成する。第１のパイロットと第２のパイロットはステップ８１４でタイムオフセットに従ってデカバーされる。パイロットデカバーのための任意の技法が当てはまり、その例は前述された。一次アンテナとダイバーシティアンテナから送信されるストリームに対応する第１のデータストリームおよび第２のデータストリームは、ステップ８１６で第１のパイロットと第２のパイロットで復調される。必要に応じて、第１の復調されたデータストリームと第２の復調されたデータストリームがステップ８１８で非多重化される。
【００４２】
ステップ８０６は、ステップ８６２から８６６を使用して実施できる。ステップ８６２では、早期記号ストリームは、例えば一次パイロットシーケンスなどの第１のパイロットシーケンスで逆拡散される。ステップ８６４では逆拡散されたチップが１つのランの中の記号数に関して蓄積される。例示的な実施形態では、１記号の中のチップ数は２５６であり、該ランは合計５１２チップに対して２記号である。ステップ８６６では、蓄積されたチップの二乗規模がラン境界で計算される。同様にして、ステップ８０８は、ステップ８８２から８８６を使用して実施できる。ステップ８８２では、末期記号ストリームが第１のパイロットシーケンスで逆拡散される。ステップ８８４では逆拡散されたチップが１つのランの中の記号数に関して蓄積され、ステップ８８６では二乗規模がラン境界で計算される。
【００４３】
図８および（ランを蓄積するために修正された）図６の実施形態は、図４と図５に示された実施形態の性能を提供する一方で、ラン境界が追跡されるという例外はあるが、図７と（修正のない）図６の実施形態と基本的に同じ複雑度を維持する。正の値と負の値のランから構成される任意の直交化信号を使用することができる。前述されたような汎用ハードウェアと特殊目的ハードウェアの多様な構成も配置できる。
【００４４】
前記説明が、例示的な信号、コードおよびパラメータのいくつかとしてＷ−ＣＤＭＡ規格に定義される信号、コードおよびパラメータを使用したことに留意せよ。これは説明を明確にするためだけであり、本発明の範囲をＷ−ＣＤＭＡシステムに制限すると解釈されるべきではない。本発明の原則は、説明された特性を有する一次パイロットおよびダイバーシティパイロットを生成するために直交化シーケンスを利用する任意の考えられるシステムに適用する。アンテナ検証が行われるダイバーシティ送信のためのパイロット符号化方式とデータ符号化方式の多様な組み合わせが予想され、本発明の範囲内に該当する。当業者は、このような代替システムとともに使用するために説明される多様な実施形態をどのようにして適応させるのかを認識するであろう。
【００４５】
前述されたすべての実施形態において、方法工程が本発明の範囲から逸脱することなく交換できることに留意すべきである。
【００４６】
当業者は、情報および信号が多岐に渡る異なる技術および技法のどれを使用して表されてもよいことを理解するであろう。例えば、前記説明全体を通して参照されてよいデータ、命令、コマンド、情報、信号、ビット、記号、およびチップは、電圧、電流、電磁波、磁場、または磁性粒子、光学場または光微粒子、あるいはその任意の組み合わせで表現されてよい。
【００４７】
当業者は、ここに開示された実施形態に関連して説明される多様な例示的な論理ブロック、モジュール、回路およびアルゴリズム工程が電子ハードウェア、コンピュータソフトウェアまたは両方の組み合わせとして実現されてよいことをさらに理解するであろう。このハードウェアとソフトウェアの互換性を明確に説明するために、多様な例示的な構成要素、ブロック、モジュール、回路、および工程が概してそれらの機能性という点で前述されてきた。このような機能性がハードウェアとして実現されるのか、あるいはソフトウェアとして実現されるのかは、特定の応用および全体的なシステムに課される設計制約に依存する。当業者はそれぞれの特定の応用に関して説明された機能性を様々な方法で実現してよいが、このような実現の決定は本発明の範囲からの逸脱を生じさせると解釈されるべきではない。
【００４８】
ここに開示された実施形態と関連して説明される多様な例示的な論理ブロック、モジュール、および回路は汎用プロセッサ、デジタル信号プロセッサ（ＤＳＰ）、特定用途向け集積回路（ＡＳＩＣ）、フィールドプログラマブルゲートアレイ(field programmable gate array)（ＦＰＧＡ）、または他のプログラマブルロジックデバイス(programmable logic device)、離散ゲートまたはトランジスタロジック、離散ハードウェア構成要素、またはここに説明される機能を実行するように設計されたそれらの組み合わせで実現される、あるいは実行されてよい。汎用プロセッサはマイクロプロセッサであってよいが、代替実施形態では、プロセッサは任意の従来のプロセッサ、コントローラ、マイクロコントローラ、または状態機械(state machine)であってよい。プロセッサは、例えばＤＳＰとマイクロプロセッサ、複数のマイクロプロセッサ、ＤＳＰコア(core)と連動した１台または複数台のマイクロプロセッサ、あるいは任意の他のこのような構成の計算装置の組み合わせとして実現されてもよい。
【００４９】
ここに開示された実施形態に関連して説明される方法またはアルゴリズムの工程はハードウェア内、プロセッサにより実行されるソフトウェアモジュール内、あるいは該２つの組み合わせの中で直接的に具現化されてよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野で既知である任意の他の形式の記憶媒体に存してよい。例示的な記憶媒体はプロセッサに結合され、このようなプロセッサは記憶媒体から情報を読み取る、および記憶媒体に情報を書き込むことができる。代替実施形態では、記憶媒体はプロセッサに一体化してよい。プロセッサおよび記憶媒体はＡＳＩＣに存してよい。ＡＳＩＣはユーザ端末に存してよい。代替実施形態では、プロセッサおよび記憶媒体はユーザ端末内の離散構成要素として存してよい。
【００５０】
開示された実施形態の前記説明は、当業者の誰もが本発明を作成または使用できるようにするために提供される。これらの実施形態に対する多様な変型は当業者に容易に明らかになり、ここに定められる一般原則は本発明の精神または範囲から逸脱することなく他の実施形態に適用されてよい。したがって、本発明はここに示されている実施形態に限られることを目的とするのではなく、ここに開示されている原則および新規特徴に一致する最も幅広い範囲を与えられるべきである。
【図面の簡単な説明】
【００５１】
【図１】多くのユーザをサポートできる無線通信システムの一般的なブロック図である。
【図２】送信ダイバーシティのために装備される基地局および移動局を備える無線通信システムの一部を示す図である。
【図３】Ｗ−ＣＤＭＡ規格により定義されるようなダイバーシティ送信のための２つのパイロット信号間の関係を示す図である。
【図４】２つのダイバーシティ送信されたパイロットの平均を追跡するための送信ダイバーシティ追跡ループの従来の技術の実現を示す図である。
【図５】Ｗ−ＣＤＭＡ規格で定義されるもののようなパイロット信号の特定の集合の特性を利用するために修正された、２つのダイバーシティ送信されたパイロットの平均を追跡するための送信ダイバーシティ追跡ループの従来の技術の実現を示す図である。
【図６】２つのダイバーシティ送信されたパイロットの平均を追跡するための改善された送信ダイバーシティ追跡ループを示す図である。
【図７】２つのダイバーシティ送信されたパイロットの平均を時間追跡するための方法の実施形態のフローチャートを示す図である。
【図８】２つのダイバーシティ送信されたパイロットの平均を時間追跡するための方法の代替実施形態のフローチャートを示す図である。
【図１】
2005516527.tif 000003
【図２】
2005516527.tif 000004
【図３】
2005516527.tif 000005
【図４】
2005516527.tif 000006
【図５】
2005516527.tif 000007
【図６】
2005516527.tif 000008
【図７】
2005516527.tif 000009
【図８】
2005516527.tif 000010
【国際調査報告】
2005516527.tif 000011
2005516527.tif 000012
2005516527.tif 000013
2005516527.tif 000014